(57)【特許請求の範囲】
【請求項１】
エレベータの昇降路固定体に着脱自在に設けられた第一固定手段と、
この第一固定手段に着脱自在に設けられ、エレベータの乗場出入口を間に挟んで対向する一側昇降路壁及び他側昇降路壁間に渡って配置された複数の第一支持梁と、
昇降路の乗場側及び奥側に設けられた前記第一支持梁間に跨って配置され、前記第一支持梁の長手方向に移設可能な複数の第二支持梁と、
この第二支持梁を前記第一支持梁に着脱自在に固定する第二固定手段と、
前記第二支持梁に着脱自在に設けられて足場板を支持するとともに、前記第二支持梁の長手方向に移設可能な足場板固定手段と
を備え、
前記第二固定手段は、
前記第一支持梁及び前記第二支持梁間に配置された取付金と、
前記取付金とによって前記第一支持梁の上部を挟持する下側固定金と、
前記取付金とによって前記第二支持梁の下部を挟持する上側固定金と
を備えたことを特徴とするエレベータの据付作業用足場装置。
【請求項２】
前記下側固定金及び前記上側固定金は、ボルトを用いて前記取付金に固定され、
前記下側固定金を前記取付金に固定する前記ボルトが、前記第二支持梁の一側に配置され、
前記上側固定金を前記取付金に固定する前記ボルトが、前記第二支持梁の他側に配置された
ことを特徴とする請求項１に記載のエレベータの据付作業用足場装置。
【請求項３】
前記第一固定手段は、
前記一側昇降路壁及び前記他側昇降路壁のアンカーボルトに互いに対向するように設けられて一対を成した少なくとも二組以上の第一取付金と、
一対を成した前記第一取付金に跨って配置された前記第一支持梁を前記第一取付金に着脱自在に固定する第一固定金と
を備えたことを特徴とする請求項１に記載のエレベータの据付作業用足場装置。
【請求項４】
前記第一固定手段は、
建築物の鉄骨梁に互いに対向するように設けられて一対を成した少なくとも二組以上の取付板と、
一対を成した前記取付板に跨って配置された前記第一支持梁を前記取付板に着脱自在に固定する固定金と
を備えたことを特徴とする請求項１に記載のエレベータの据付作業用足場装置。
【請求項５】
前記足場板固定手段は、
前記第二支持梁に着脱自在に設けられ、前記第二支持梁の長手方向に移設可能な足場板取付金と、
この足場板取付金に支持されて前記足場板が掛止される支持軸と
を備えたことを特徴とする請求項１から請求項４の何れかに記載のエレベータの据付作業用足場装置。
【請求項６】
前記第二支持梁に着脱自在に設けられて縦枠を支持するとともに、前記第二支持梁の長手方向に移設可能な縦枠固定手段を備えたことを特徴とする請求項１から請求項５の何れかに記載のエレベータの据付作業用足場装置。
【発明の詳細な説明】
【技術分野】
【０００１】
この発明は、エレベータの据付作業時に使用する足場装置に関するものである。
【背景技術】
【０００２】
昇降路上方に機械室が設置されていない機械室レスエレベータ装置等では、エレベータ機器類を昇降路内に据え付ける際、先ず、昇降路のピット底面から足場を組み上げて、資材や機器類を揚重及び運搬する工具等を昇降路頂部に設置していた。しかし、昇降行程が長いエレベータ装置では、大量の足場を組み上げなければならないため、作業効率が著しく悪化するという問題が生じていた。
【０００３】
このため、据付作業に必要な高さにのみ設置することができる据付作業用足場装置も提案されている。かかる構成を有するエレベータの据付作業用足場装置の従来技術として、例えば、エレベータ昇降路の屋上開口縁部の前後端部間に渡って設けられた２本の支持梁と、この支持梁間に渡って設置された伸縮式の複数の足場板とを備え、乗場側から見て左右の昇降路壁間距離に合わせて伸縮させた上記足場板を適当な位置でストッパによって固定することにより、左右の昇降路壁間に渡って足場板を配置することができるようにしたものが開示されている（特許文献１参照）。
【０００４】
【特許文献１】特開２００１−２７８５６４号公報
【発明の開示】
【発明が解決しようとする課題】
【０００５】
特許文献１記載のエレベータの据付作業用足場装置を使用することにより、昇降路の屋上開口部のみに足場装置を組み上げることが可能となる。しかし、昇降路屋上開口縁部の前後端部間に渡って設けられた２本の支持梁の間隔が乗場出入口の間口寸法によって制限されてしまうため、左右の昇降路壁間に渡って足場装置を組み上げるためには、伸縮自在に構成された特殊な上記足場板を採用しなければならなかった。このため、足場装置全体の重量が増加して足場装置の据付作業性を悪化させるとともに、コスト高を招来する要因となっていた。また、上記足場板では、左右の昇降路壁間距離が間口寸法と比較して大幅に大きい場合には対応が困難となり、さらに、エレベータ巻上機等の揚重やメインロープ等の配置に合わせて任意に開口部を形成することができず、エレベータの据付における作業効率が悪化するという問題もあった。
【０００６】
この発明は、上述のような課題を解決するためになされたもので、その目的は、エレベータの昇降路形状や据付作業に合わせて足場板の配置を変更することができるとともに、据付及び解体が容易で安価に構成することができるエレベータの据付作業用足場装置を提供することである。
【課題を解決するための手段】
【０００７】
この発明に係るエレベータの据付作業用足場装置は、エレベータの昇降路固定体に着脱自在に設けられた第一固定手段と、この第一固定手段に着脱自在に設けられ、エレベータの乗場出入口を間に挟んで対向する一側昇降路壁及び他側昇降路壁間に渡って配置された複数の第一支持梁と、昇降路の乗場側及び奥側に設けられた第一支持梁間に跨って配置され、第一支持梁の長手方向に移設可能な複数の第二支持梁と、この第二支持梁を第一支持梁に着脱自在に固定する第二固定手段と、第二支持梁に着脱自在に設けられて足場板を支持するとともに、第二支持梁の長手方向に移設可能な足場板固定手段とを備え、第二固定手段は、第一支持梁及び第二支持梁間に配置された取付金と、取付金とによって第一支持梁の上部を挟持する下側固定金と、取付金とによって第二支持梁の下部を挟持する上側固定金とを備えたものである。
【発明の効果】
【０００８】
この発明に係るエレベータの据付作業用足場装置によれば、エレベータの昇降路形状や据付作業に合わせて足場板の配置を変更することができるとともに、据付及び解体が容易で安価に構成することができる。
【発明を実施するための最良の形態】
【０００９】
この発明をより詳細に説明するため、添付の図面に従ってこれを説明する。なお、各図中、同一又は相当する部分には同一の符号を付しており、その重複説明は適宜に簡略化ないし省略する。
【００１０】
実施の形態１．
図１は、この発明の実施の形態１におけるエレベータの据付作業用足場装置の斜視図である。図１において、エレベータ昇降路１は、エレベータの乗場出入口２が形成された乗場側昇降路壁１ａと、この乗場側昇降路壁１ａに対向して昇降路１の奥側に設けられた奥側昇降路壁１ｂと、乗場出入口２を間に挟んで左右に対向するように設けられた一側昇降路壁１ｃ及び他側昇降路壁１ｄとにより四方が囲まれている。また、昇降路固定体からなる一側昇降路壁１ｃ及び他側昇降路壁１ｄには、互いに対向するように各昇降路壁１ｃ及び１ｄに配置されて一対を成した複数組の第一取付金３ａ及び３ｂが設けられている。ここで、一側昇降路壁１ｃの所定の高さに設けられた第一取付金３ａは略Ｌ字状を呈しており、その上面が昇降路１内に突出するように、一側昇降路壁１ｃの乗場側と奥側とに所定の間隔を有して１つずつ配置されている。一方、他側昇降路壁１ｄの所定の高さに設けられた第一取付金３ｂは、各第一取付金３ａに対向するように他側昇降路壁１ｄの乗場側と奥側とに所定の間隔を有して１つずつ配置されている。そして、この第一取付金３ｂは、第一取付金３ａと同様に略Ｌ字状を呈しており、その上面が昇降路１内に突出するように配置されている。
【００１１】
また、互いに対向するように設けられて一対を成した各第一取付金３ａ及び３ｂに跨って、Ｈ鋼等からなる第一支持梁４ａ及び４ｂが水平に設けられている。即ち、第一支持梁４ａ及び４ｂは、その長手方向が昇降路１の乗場から見て左右方向（以下、「間口方向」という）となるように一側昇降路壁１ｃ及び他側昇降路壁１ｄ間に渡って配置され、昇降路１の乗場側と奥側とに互いに略平行に設けられている。
【００１２】
なお、図２は図１に示す据付作業用足場装置の要部斜視図であり、上記第一取付金３ｂと第一支持梁４ａ端部との取付部分を拡大したものである。図２において、略Ｌ字状を呈する第一取付金３ｂは、その上面が略水平となるように配置されて、下端部が他側昇降路壁１ｄに突設されたアンカーボルト５に取付ナット５ａを介して着脱自在に固定されている。そして、取付金３ｂの上面に第一支持梁４ａの端部が載置され、この第一支持梁４ａの端部が、第一取付金３ｂとこの第一取付金３ｂに取付ボルト６によって締結固定された第一固定金７とにより強固に挟持されている。ここで、実施の形態１における第一固定手段は、第一取付金３ａ及び３ｂ、取付ボルト６及び第一固定金７により構成されている。なお、第一支持梁４ａの端部は、取付ボルト６を弛緩することにより第一取付金３ｂから容易に取り外すことが可能である。また、第一支持梁４ａの他の端部及び第一支持梁４ｂの両端部も、上記と同様の構成により、第一取付金３ａ又は３ｂに着脱自在に固定されている。
【００１３】
また、図１に示すように、昇降路１の乗場側に配置された第一支持梁４ａ及び奥側に配置された第一支持梁４ｂ間に跨って、複数の第二支持梁（図１においては４本の第二支持梁８ａ乃至８ｄ）が互いに略平行に設けられている。この第二支持梁８ａ乃至８ｄは、第一支持梁４ａ及び４ｂと同様にＨ鋼等からなり、その長手方向が第一支持梁４ａ及び４ｂに直交するように、昇降路１の乗場側から奥側に至る方向（以下、「奥行方向」という）に配置されている。ここで、第二支持梁８ａ乃至８ｄは、第一支持梁４ａ及び４ｂの長手方向に対して任意の位置及び任意の間隔にそれぞれ配置され、後述する第二固定手段９により、その乗場側端部が第一支持梁４ａに、また、奥側端部が第一支持梁４ｂにそれぞれ着脱自在に固定されている。
【００１４】
また、第二支持梁８ａ乃至８ｄには、後述する縦枠固定手段１０を介して高さの微調整が可能な縦枠脚部１１が、同様に後述する足場板固定手段１２を介して足場板１３がそれぞれ設けられている。なお、第二支持梁８ａ乃至８ｄ上に設けられた上記縦枠脚部１１及び足場板１３、縦枠脚部１１に立設された縦枠１４、縦枠１４間に渡って設けられた手摺１５、手摺１５を縦枠１４に固定するために縦枠１４に設けられた手摺枠１５ａ、縦枠１４間に交差して設けられた交差筋交１６等は、全て安価で入手が容易な規格品又は汎用品で構成されている。
【００１５】
図３は図１に示す据付作業用足場装置の要部組立図、図４は図３に示す据付作業用足場装置の要部組立完成時の正面図、図５はその側面図であり、第一支持梁４ａと第二支持梁８ａ、並びに、第二支持梁８ａと縦枠脚部１１との各取付部分を詳細に示したものである。図３乃至図５において、第二支持梁８ａの乗場側端部を第一支持梁４ａに固定する場合、先ず、昇降路１の間口方向に渡って設けられた第一支持梁４ａの上面の所定位置に第二取付金１７を配置する。そして、取付ボルト１８及び取付ナット１９により、第二固定金２０を第二取付金１７に対して下方から固定する。この時、第二取付金１７と第二固定金２０とにより第一支持梁４ａの上部を挟持するように配置した状態で取付ボルト１８を締め付け、第二取付金１７を第一支持梁４ａに強固に固定する。
【００１６】
次に、第一支持梁４ａの上部に固定された第二取付金１７の上面に、第二支持梁８ａの乗場側端部を配置する。そして、取付ボルト２１及び取付ナット２２により、第三固定金２３を第二取付金１７に対して上方から固定する。この時、第二取付金１７と第三固定金２３とにより第二支持梁８ａの下部を挟持するように配置した状態で取付ボルト２１を締め付け、第二支持梁８ａを第二取付金１７に強固に固定する。ここで、実施の形態１における第二固定手段９は、第二取付金１７、第二固定金２０、第三固定金２３、取付ボルト１８及び２１、取付ナット１９及び２２により構成されており、第二支持梁８ａの奥側端部も、上記と同様の構成により、第二固定手段９を介して第一支持梁４ｂに固定されている。
【００１７】
なお、第二支持梁８ａは、第二固定手段９の取付ボルト１８又は２１を弛緩することにより、第一支持梁４ａ及び４ｂから容易に取り外すことが可能である。また、Ｈ鋼からなる第一支持梁４ａの上部はその長手方向に渡って同じ形状を呈しているため、第二固定手段９を第一支持梁４ａの任意の位置で固定することができる。即ち、取付ボルト１８を弛緩させた後、第二取付金１７を第一支持梁４ａ及び４ｂの長手方向にスライドさせて適当な位置で再度取付ボルト１８を締め付けることにより、第二支持梁８ａを第一支持梁４ａ及び４ｂの長手方向に容易に移設することが可能となる。なお、第二支持梁８ｂ乃至８ｄも、その各端部が上記と同様の構成により第二固定手段９を介して第一支持梁４ａ又は４ｂに着脱自在に固定され、第一支持梁４ａ及び４ｂの長手方向に移設可能に構成されている。
【００１８】
また、第二支持梁８ａを第一支持梁４ａ及び４ｂに取り付けた後、縦枠脚部１１を第二支持梁８ａに固定するには、先ず、昇降路１の奥行方向に渡って設けられた第二支持梁８ａの上面の所定位置に、縦枠脚部１１を配置する。そして、取付ボルト２４及び取付ナット２５により、縦枠取付金２６を縦枠脚部１１に対して下方から固定する。この時、縦枠脚部１１の下部と縦枠取付金２６とにより第二支持梁８ａの上部を挟持するように配置した状態で取付ボルト２４を下方から締め付け、縦枠脚部１１を第二支持梁８ａに強固に固定する。ここで、実施の形態１における縦枠固定手段１０は、縦枠取付金２６、取付ボルト２４及び取付ナット２５により構成されている。
【００１９】
なお、縦枠脚部１１は、取付ボルト２４を弛緩させることにより第二支持梁８ａから容易に取り外すことが可能である。また、Ｈ鋼からなる第二支持梁８ａの上部はその長手方向に渡って同じ形状を呈しているため、縦枠固定手段１０を介して縦枠脚部１１を第二支持梁８ａの任意の位置で固定することができる。即ち、取付ボルト２４を弛緩させた後、縦枠取付金２６及び縦枠脚部１１を第二支持梁８ａの長手方向にスライドさせて適当な位置で再度取付ボルト２４を締め付けることにより、縦枠脚部１１を第二支持梁８ａの長手方向に容易に移設することが可能となる。なお、第二支持梁８ａ乃至８ｄには、第二支持梁８ａ乃至８ｄの長手方向に移設可能に構成された縦枠固定手段１０を介して、複数の縦枠脚部１１が着脱自在に固定されている。
【００２０】
また、図６は図１に示す据付作業用足場装置の要部組立図、図７は図６に示す据付作業用足場装置の要部組立完成時の斜視図であり、足場板１３の取り付けに必要な足場板固定手段１２と第二支持梁８ａとの取付部分を詳細に示したものである。図６及び図７において、昇降路１の奥行方向に配置された第二支持梁８ａには、その上面両端部に略Ｌ字状を呈する足場板取付金２７が設けられている。この足場板取付金２７は、その上部が互いに対向するように第二支持梁８ａ上面の所定位置に配置され、その下部が、第二支持梁８ａ上面に載置されて取付ボルト２８、取付ナット２９及び第四固定金３０により第二支持梁８ａの上部に固定されている。この時、足場板取付金２７の下部と第四固定金３０とにより第二支持梁８ａの上部を挟持するように配置した状態で取付ボルト２８を下方から締め付け、足場板取付金２７を第二支持梁８ａに強固に固定する。
【００２１】
また、各足場板取付金２７には、互いに対向するその各上部に、中心軸が略一直線状となるように貫通孔２７ａが形成されている。パイプ状を呈する支持軸３１は、上記貫通孔２７ａに挿通されて足場板取付金２７にその両端部が支持されており、その両端部には、支持軸３１が貫通孔２７ａから外れることを防止する抜け止め３２が、足場板取付金２７よりも外側となる位置にそれぞれ設けられている。なお、第二支持梁８ｂ及び８ｄの上部にも、上記と同様の構成により、支持軸３１が足場板取付金２７等を介して固定されている。
【００２２】
そして、上記足場板１３は、第二支持梁８ａ及び８ｂに設けられた各支持軸３１、並びに、第二支持梁８ｂ及び８ｄに設けられた各支持軸３１に跨って設けられている。ここで、足場板１３は、その両端部に設けられたフック１３ａが支持軸３１に掛止されており、昇降路１の間口方向及び奥行方向に渡って敷き詰められている。なお、支持軸３１に作用する負荷が大きい場合には、図６及び図７に示すように、貫通孔３３ａを備えた支持金３３を足場板取付金２７の間に配置し、支持軸３１の中間部をこの支持金３３により支持するようにしても良い。ここで、実施の形態１における足場板固定手段１２は、足場板取付金２７、支持金３３、支持軸３１、抜け止め３２、第四固定金３０、取付ボルト２８及び取付ナット２９により構成されている。
【００２３】
この足場板固定手段１２は、抜け止め３２の解除及び取付ボルト２８の弛緩により、第二支持梁８ａ乃至８ｄから容易に取り外すことが可能である。また、第二支持梁８ａ乃至８ｄの上部はその長手方向に渡って同じ形状を呈しているため、足場板取付金２７を第二支持梁８ａ乃至８ｄの任意の位置で固定することができる。即ち、取付ボルト２８を弛緩させた後、足場板取付金２７を第二支持梁８ａ乃至８ｄの長手方向にスライドさせて適当な位置で再度取付ボルト２８を締め付けることにより、足場板固定手段１２を第二支持梁８ａ乃至８ｄの長手方向に容易に移設することが可能となる。
【００２４】
かかる構成により、足場板固定手段１２が設けられた第二支持梁８ａ乃至８ｄ間に渡って足場板１３が取り付けられる。また、第二支持梁８ａ乃至８ｄに設けられた上記縦枠脚部１１は、この足場板１３の周囲を取り囲むように配置されており、この縦枠脚部１１に縦枠１４を立設させて手摺１５を適宜設置することにより、足場板１３の周囲を取り囲む安全柵が形成される。なお、図１においては、縦枠脚部１１に立設された縦枠１４の上方にさらに縦枠１４ａ及び手摺１５ｂ並びに足場板１３ｂが設けられて、作業用の足場が２段に構成されている。また、乗場と昇降路１内の足場板１３との間には、足場板１３ｃと手摺１５ｃとにより、保守作業員が乗場から足場板１３へ移動する際に通る乗降通路が形成されている。
【００２５】
この発明の実施の形態１におけるエレベータの据付作業用足場装置によれば、エレベータの据付作業時、作業の必要な高さにのみ足場装置を設置することが可能であり、昇降路１のピット底面から足場を組み上げることを要しない。さらに、第二支持梁８ａ乃至８ｄが第一支持梁４ａ及び４ｂの長手方向（昇降路１の間口方向）の任意の位置に、また、縦枠脚部１１及び足場板固定手段１２が第二支持梁８ａ乃至８ｄの長手方向（昇降路１の奥行方向）の任意の位置に配置することができてその位置調整が容易であるため、昇降路１のサイズや据付作業内容等に合わせて、足場装置のレイアウトを自由に変更することが可能となる。
【００２６】
なお、足場板１３の配置や取り外しによって任意の位置に開口部を形成することができるため、機器類の取付作業スペースや揚重スペースを容易に確保でき、釣合い重りやガイドレール設置後にも、同一の部材を使用してこれらの機器類を避けるように配置することが可能となる。また、足場板固定手段１２、縦枠脚部１１、第二支持梁８ａ乃至８ｄ、並びに、第一支持梁４ａ及び４ｂ等の全ての部材が、取付ボルトの締結及び弛緩により着脱自在に構成されているため、溶接等が不要で足場装置の組立及び解体が容易であり、据付作業に要する時間を短縮することができる。
【００２７】
また、第一支持梁４ａ及び４ｂ、並びに、第二支持梁８ａ乃至８ｄ上に組み立てられる縦枠１４や足場板１３、手摺１５等は、全て安価で入手し易い規格品や汎用品で構成することができるため、特殊な形状の部品等を必要とせず、足場装置全体のコストを低減させることも可能である。なお、縦枠１４等を規格品や汎用品で構成することができるため、図１に示すように足場装置を多段に構成して、昇降路１の頂部及び中間階における据付作業も容易に対応可能となる。
【００２８】
ここで、図８はこの発明の実施の形態１におけるエレベータの据付作業用足場装置を使用した保守作業を示す図であり、最上階の乗場高さに上記据付作業用足場装置が設置された状態を示している。また、図９は他の保守作業を示す図であり、中間階に上記据付作業用足場装置が設置された状態を示している。図８及び図９において、昇降路１の頂部又は中間階において据付作業行う場合には、足場装置を２段或いは３段以上に構成することにより、所望の高さにおいて作業を行うことができる。なお、図８においては、昇降路１の奥側に揚重スペースを確保して、昇降路１頂部の揚重梁１ｅを介して揚重物を昇降させる場合について示されているが、第二支持梁８ａ乃至８ｄ、並びに、足場板１３の配置を変更することにより、昇降路１の左右や中央部に揚重スペースを確保することも可能である。
【００２９】
実施の形態２．
図１０は、この発明の実施の形態２におけるエレベータの据付作業用足場装置の要部斜視図であり、実施の形態２の図２相当図である。図１０において、３４はエレベータ装置が設置された建物の鉄骨梁であり、Ｈ鋼等の昇降路固定体から構成される。そして、鉄骨梁３４の上面に載置された取付板３５とこの取付板３５に取付ボルト３６によって締結固定された第五固定金３７とにより鉄骨梁３４の上部が挟持されて、取付板３５が鉄骨梁３４に固定されている。また、取付板３５の上面に第一支持梁４ａの端部が載置され、取付板３５とこの取付板３５に取付ボルト３８により締結固定された第六固定金３９とにより第一支持梁４ａの下部が挟持されて、第一支持梁４ａが取付板３５に固定されている。
【００３０】
かかる構成を有することにより、第一支持梁４ａ及び４ｂを所定の高さの鉄骨梁３４に強固に固定することが可能となる。したがって、昇降路１が昇降路壁１ａ乃至１ｄに所定の強度が備えられていない鉄骨梁構造の場合や、所望の高さにアンカーボルト５が設置されていない場合には、有効な手段となる。なお、第一支持梁４ａの端部は、取付ボルト３８を弛緩することにより取付板３５から容易に取り外すことが可能である。その他は実施の形態１と同様の構成及び効果を奏する。
【図面の簡単な説明】
【００３１】
【図１】この発明の実施の形態１におけるエレベータの据付作業用足場装置の斜視図である。
【図２】図１に示す据付作業用足場装置の要部斜視図である
【図３】図１に示す据付作業用足場装置の要部組立図である。
【図４】図３に示す据付作業用足場装置の要部組立完成時の正面図である。
【図５】図３に示す据付作業用足場装置の要部組立完成時の側面図である。
【図６】図１に示す据付作業用足場装置の要部組立図である。
【図７】図６に示す据付作業用足場装置の要部組立完成時の斜視図である。
【図８】この発明の実施の形態１におけるエレベータの据付作業用足場装置を使用した保守作業を示す図である。
【図９】この発明の実施の形態１におけるエレベータの据付作業用足場装置を使用した他の保守作業を示す図である。
【図１０】この発明の実施の形態２におけるエレベータの据付作業用足場装置の要部斜視図である。
【符号の説明】
【００３２】
１  昇降路
１ａ  乗場側昇降路壁
１ｂ  奥側昇降路壁
１ｃ  一側昇降路壁
１ｄ  他側昇降路壁
１ｅ  揚重梁
２  乗場出入口
３ａ、３ｂ  第一取付金
４ａ、４ｂ  第一支持梁
５  アンカーボルト
５ａ、１９、２２、２５、２９  取付ナット
６、１８、２１、２４、２８、３６、３８  取付ボルト
７  第一固定金
８ａ、８ｂ、８ｃ、８ｄ  第二支持梁
９  第二固定手段
１０  縦枠固定手段
１１  縦枠脚部
１２  足場板固定手段
１３、１３ｂ、１３ｃ  足場板
１３ａ  フック
１４、１４ａ  縦枠
１５、１５ｂ、１５ｃ  手摺
１５ａ  手摺枠
１６  交差筋交
１７  第二取付金
２０  第二固定金
２３  第三固定金
２６  縦枠取付金
２７  足場板取付金
２７ａ、３３ａ  貫通孔
３０  第四固定金
３１  支持軸
３２  抜け止め
３３  支持金
３４  鉄骨梁
３５  取付板
３７  第五固定金
３９  第六固定金
【図１】
0004784167.tif 000002
【図２】
0004784167.tif 000003
【図３】
0004784167.tif 000004
【図４】
0004784167.tif 000005
【図５】
0004784167.tif 000006
【図６】
0004784167.tif 000007
【図７】
0004784167.tif 000008
【図８】
0004784167.tif 000009
【図９】
0004784167.tif 000010
【図１０】
0004784167.tif 000011